(57)【特許請求の範囲】
【請求項１】
バッテリには円形断面をなすバッテリポストが立設されている一方、前記バッテリポストに嵌合される略環状をなすポスト接続部に相手端子と接続される端子接続部が一体に設けられたバッテリ端子が具備され、
このバッテリ端子の前記ポスト接続部が前記バッテリポストに嵌合されたのち縮径するように締め付けられることによって、前記バッテリ端子が前記バッテリポストに固定されるものにおいて、
前記バッテリ端子における前記端子接続部の近傍には、前記バッテリにおける当該バッテリ端子の取付面の所定の端縁と整合することで同バッテリ端子の取付位置を目視により確認するべく目印部が一体形成されており、
かつ、前記端子接続部には前記バッテリの前記取付面に沿って延びる延出板が形成され、この延出板は延出端側が幅広となる形状に形成され、この延出端には、ほぼ全幅に亘って前記バッテリの側面に当接する回り止め板が直角曲げして形成されているとともに、前記延出板には前記延出端に沿った孔縁を有する貫通孔が形成されて同貫通孔の前記孔縁が前記目印部となっていることを特徴とするバッテリ端子の取付構造。
【発明の詳細な説明】
【技術分野】
【０００１】
本発明は、バッテリ端子をバッテリポストに取り付ける構造に関する。
【背景技術】
【０００２】
従来、バッテリ端子をバッテリに取り付ける構造の一例として、以下のようなものが知られている。このものはバッテリ端子が、バッテリポストに嵌合される略環状をなしかつ縮径可能なポスト接続部に、相手端子と接続されるスタッドボルトが立てられた端子接続部が一体に設けられた形状である。そして、バッテリ端子のポスト接続部が、バッテリに立設されたバッテリポストに嵌合されたのち、同ポスト接続部に設けられた締め付け具を操作して縮径させることで、ポスト接続部すなわちバッテリ端子がバッテリポストに固定される。そののち、端子接続部のスタッドボルトに対して、電線の端末に接続された相手端子のボルト挿通孔が挿通され、スタッドボルトにナットを螺合して締め付けることで、相手端子がバッテリ端子に対して接続固定されるようになっている（下記特許文献１参照）。
【先行技術文献】
【特許文献】
【０００３】
【特許文献１】特開２００９−１８７６９６号公報
【発明の概要】
【発明が解決しようとする課題】
【０００４】
ところでバッテリ端子をバッテリポストに固定するに当たっては、相手端子の引き出し位置や、ポスト接続部の締め付け具の締め付け作業をするスペースを確保するために、バッテリ端子を固定する場合の向きを定める必要がある。そのため従来では、バッテリ端子に別部材としての位置決め部材を装着してこれをバッテリの壁に当てて位置決めすることも提案されたが、位置決め部材が別途必要であり、かつその組み付け作業も必要であることから、コスト高に繋がることが懸念され、新たな対策が切望されていた。  
本発明は上記のような事情に基づいて完成されたものであって、その目的は、簡易な構造で以てバッテリ端子の位置決めができるようにするところにある。
【課題を解決するための手段】
【０００５】
本発明のバッテリ端子の取付構造は、バッテリには円形断面をなすバッテリポストが立設されている一方、前記バッテリポストに嵌合される略環状をなすポスト接続部に相手端子と接続される端子接続部が一体に設けられたバッテリ端子が具備され、このバッテリ端子の前記ポスト接続部が前記バッテリポストに嵌合されたのち縮径するように締め付けられることによって、前記バッテリ端子が前記バッテリポストに固定されるものにおいて、前記バッテリ端子における前記端子接続部の近傍には、前記バッテリにおける当該バッテリ端子の取付面の所定の端縁と整合することで同バッテリ端子の取付位置を目視により確認するべく目印部が一体形成されている構成としたところに特徴を有する。
【０００６】
バッテリ端子のポスト接続部をバッテリポストに嵌合したのち、端子接続部の近傍に形成された目印部がバッテリの取付面の所定の端縁と整合するようにバッテリポスト回りに回動することで、バッテリ端子が正規の取付位置に位置合わせされる。  
目印部を端子接続部の近傍に一体形成した構造であるから、バッテリ端子の僅かな設計変更で簡易に対応することができる。
【０００７】
また、以下のような構成としてもよい。  
（１）前記端子接続部には前記バッテリの前記取付面に沿って延びる延出板が形成され、この延出板の延出端によって前記目印部が形成されている。目印部を設けるのに延出板の延出端を利用したから、きわめて簡単な構造にまとめられる。
【０００８】
（２）前記延出板の延出端には、前記バッテリの側面に当接する回り止め板が直角曲げして形成されている。バッテリ端子が正規の取付位置に取り付けられた場合に、回り止め板がバッテリの側面に当てられることで回り止めがなされ、端子接続部に相手端子をボルト締めで接続する場合においてバッテリ端子が連れ回りすることが防がれる。
【０００９】
（３）前記延出板は延出端側が幅広となる形状に形成され、その延出端のほぼ全幅に亘って前記回り止め板が形成されているとともに、前記延出板には前記延出端に沿った孔縁を有する貫通孔が形成されて同貫通孔の前記孔縁が前記目印部となっている。  
貫通孔の孔縁をバッテリの取付面の所定の端縁と整合させることで、バッテリ端子が正規の取付位置に位置合わせされる。回り止め板が幅広に形成されることで、バッテリ端子の連れ回りをより確実に防止できる。
【発明の効果】
【００１０】
本発明によれば、簡易な構造で以てバッテリ端子の位置決めを行うことができる。
【図面の簡単な説明】
【００１１】
【図１】本発明の実施形態１に係るバッテリポストにバッテリ端子のポスト接続部を嵌合する動作を示す側面図
【図２】バッテリ端子の平面図
【図３】同正面図
【図４】図２のIV−IV線断面図
【図５】バッテリポストにバッテリ端子のポスト接続部が嵌合された状態の平面図
【図６】その側面図
【図７】実施形態２に係るバッテリ端子の平面図
【発明を実施するための形態】
【００１２】
＜実施形態１＞
本発明の実施形態１を図１ないし図６によって説明する。この実施形態では、図１に示すように、自動車等に搭載されるバッテリ１０に立設されたバッテリポスト１５に対して、バッテリ端子２０が接続される場合を例示している。  
バッテリ１０は、バッテリ本体１１の上面１２の所定位置にバッテリポスト１５が立てられた構造である。バッテリポスト１５は、鉛等により上端側が次第に小径となった円錐台状に形成されている。
【００１３】
バッテリ端子２０は、図２にも示すように、導電性に優れた厚肉の金属板のプレス加工等によって形成されており、バッテリポスト１５に接続されるポスト接続部２１と、相手端子（図示せず）と接続される端子接続部４０とが並んで一体に形成された構造である。
【００１４】
ポスト接続部２１は、バッテリポスト１５に外嵌される３／４円強の環状をなす抱持部２２と、同抱持部２２の両端から互いに対向するように延出された一対の延出片２３とから構成されている。抱持部２２は、自然状態ではバッテリポスト１５に対してクリアランスを持って嵌合可能な内径寸法を有している。抱持部２２の周面には、図４に示すように、食い込み用の縦向きの溝２４が複数本凹み形成されている。
【００１５】
一対の延出片２３にはボルト２５が貫通して装着され、ボルト２５自身は回り止めされているとともに、同ボルト２５の一方の延出片２３からの突出端側にナット２６が螺合されている。そして、ナット２６を締め付けることで両延出片２３の間隔が狭まり、ひいては抱持部２２が縮径されてバッテリポスト１５に固定されるようになっている。
【００１６】
端子接続部４０は、扁平な箱形をなす基台４１の上面に、スタッドボルト４２が回り止めされた形態で立ち上がって設けられている。電線の端末等に接続された相手端子は、同相手端子に形成されたボルト挿通孔をスタッドボルト４２に挿通して基台４１上に載せられ、スタッドボルト４２にナット（図示せず）を螺合して締め付けることで、相手端子が基台４１に押し付けられて固定されるようになっている。
【００１７】
本実施形態では、バッテリ端子２０の正規の取付位置は、図５に参照して示すように、端子接続部４０側が後方（同図の右側）を向き、かつ同バッテリ端子２０の中心線Ｌがバッテリ本体１１の上面１２における奥縁１２Ａと直角をなす姿勢を取る位置であって、バッテリ端子２０のポスト接続部２１をバッテリポスト１５に嵌合しつつバッテリ本体１１の上面１２に載せた場合に、同バッテリ端子２０を上記した正規の取付位置に位置合わせするための手段が講じられている。
【００１８】
バッテリ端子２０の端子接続部４０における基台４１の底板４３の後縁には、延出板５０が後方に向けて所定寸法延出形成されている。延出板５０は、その延出端側の大部分の領域が、バッテリ端子２０の中心線Ｌを挟んだ一側に張り出すようにして幅広に形成されている。この延出板５０の延出端には、その全幅に亘って下向きに直角曲げされた回り止め板５１が形成されている。
【００１９】
この延出板５０には、バッテリ端子２０の中心線Ｌ上において、基端から延出端側に向けて所定幅の窓孔５３が開口されている。なお、この窓孔５３は、基台４１内に配されたスタッドボルト４２の回り止め用の係止部４４（図４参照）を形成するべく抜き孔でもある。  
そして、図５に示すように、ポスト接続部２１における抱持部２２の中心２２ｏから上記の窓孔５３の後縁までの寸法ａが、バッテリポスト１５の中心１５ｏからバッテリ本体１１の上面１２における奥縁１２Ａまでの寸法ｂよりも僅かに大きくなる設定となっている。窓孔５３の後縁が目印部５４となっている。
【００２０】
また、延出板５０における張り出した部分の延出端寄りの位置には、上記した窓孔５３の後縁の延長線上において長孔５５が形成されている。同長孔５５の後縁は、窓孔５３の後縁よりも僅かに後方に位置しており、この長孔５５の後縁も目印部５６となっている。
【００２１】
本実施形態は上記のような構造であって、バッテリ端子２０を取り付けるには、同バッテリ端子２０を延出板５０が概ね後方に向いた姿勢として、ポスト接続部２１をバッテリポスト１５に嵌合し、そののちバッテリポスト１５を中心に回動させつつ延出板５０の延出端に設けられた窓孔５３と長孔５５とを覗き、両目印部５４，５６がバッテリ本体１１の上面１２の奥縁１２Ａと平行をなす回動姿勢に持ち来すことで、図５及び図６に示すように、バッテリ端子２０がその中心線Ｌがバッテリ本体１１の上面１２の奥縁１２Ａと直角をなす正規の取付位置に位置合わせされる。
【００２２】
続いて、ポスト接続部２１に設けたボルト２５・ナット２６におけるナット２６を締付工具により締め付けると、抱持部２２が次第に縮径されることで、溝２４を外周面に食い込ませつつ抱持部２２がバッテリポスト１５に固定され、ひいてはバッテリ端子２０がバッテリポスト１５に固定される。
【００２３】
そののち、相手端子がボルト挿通孔をスタッドボルト４２に挿通して基台４１上に載せられ、スタッドボルト４２にナット（図示せず）を螺合して締め付けることで、相手端子が基台４１に押し付けられて固定される。  
このとき、バッテリ端子２０における延出板５０の延出端から下向きに形成された回り止め板５１が、バッテリ本体１１の奥面１３に対して若干の隙間を空けて平行に対向しているから、ナットが相手端子を押さえつつ締め付けられることに伴ってバッテリ端子２０がバッテリポスト１５を中心として連れ回りしようとするのが、回り止め板５１がバッテリ本体１１の奥面１３に当たることで規制され、ナットによる締め付けがスムーズにかつ正確に行われる。
【００２４】
このように本実施形態によれば、バッテリ端子２０のポスト接続部２１をバッテリポスト１５に嵌合したのち、端子接続部４０に延出形成された延出板５０に設けられた目印部５４，５６がバッテリ本体１１の上面１２の奥縁１２Ａと整合するようにバッテリポスト１５回りに回動することで、バッテリ端子２０が正規の取付位置に位置合わせされる。  
目印部５４，５６を設けるに当たっては、端子接続部４０から延出板５０を一体形成して同延出板５０の所定位置に窓孔５３と長孔５５を打ち抜くことで形成できるから、簡単な構造にまとまり、またバッテリ端子２０を形成する際のプレス工程を僅かに増やすだけで簡単に対応することができる。
【００２５】
バッテリ端子２０に設けた延出板５０には回り止め板５１も併せて形成されているから、端子接続部４０に相手端子をナットの締め付けで接続する場合においてバッテリ端子２０が連れ回りすることが防がれる。特に回り止め板５１が幅広に形成されていることで、連れ回りをより確実に防止できる。
【００２６】
＜実施形態２＞
図７は、本発明の実施形態２を示す。この実施形態２のバッテリ端子２０Ａでは、延出板６０が、端子接続部４０の基台４１の底板４３の後縁から同底板４３と同幅で延出形成され、その延出端の幅方向の中央から回り止め板６１が下向きに直角曲げされている。このバッテリ端子２０Ａでは、延出板６０における回り止め板６１の形成部分の両側の延出端自身が、バッテリ本体１１の上面１２における奥縁１２Ａとの位置合わせに利用される目印部６３となっている。  
目印部６３を設けるに当たっての構造がより簡単となる。
【００２７】
＜他の実施形態＞
本発明は上記記述及び図面によって説明した実施形態に限定されるものではなく、例えば次のような実施形態も本発明の技術的範囲に含まれる。  
（１）実施形態１のように、延出板に貫通孔を開口してその延出端側の孔縁により目印部を形成する形式のものにおいて、貫通孔の数は１個でもよく、また３個以上であってもよい。  
（２）目印部の形成構造は、上記実施形態に例示したものに限らず、バッテリ本体の上面の奥縁と整合する直線形を呈する限り、他の形成構造を採用してもよい。  
（３）回り止め板を設けることは割愛してもよく、そのようなものも本発明の技術的範囲に含まれる。
【符号の説明】
【００２８】
１０…バッテリ
１１…バッテリ本体
１２…（バッテリ本体１１の）上面（取付面）
１２Ａ…（バッテリ本体１１の上面１２の）奥縁（所定の端縁）
１３…（バッテリ本体１１の）奥面（側面）
１５…バッテリポスト
２０，２０Ａ…バッテリ端子
２１…ポスト接続部
２２…抱持部
４０…端子接続部
４１…基台
４２…スタッドボルト
４３…（基台４１の）底板
５０…延出板
５１…回り止め板
５３…窓孔（貫通孔）
５４…目印部
５５…長孔（貫通孔）
５６…目印部
６０…延出板
６１…回り止め板
６３…目印部
【図１】
0005617786.tif 000002
【図２】
0005617786.tif 000003
【図３】
0005617786.tif 000004
【図４】
0005617786.tif 000005
【図５】
0005617786.tif 000006
【図６】
0005617786.tif 000007
【図７】
0005617786.tif 000008